【事件の表示】
　特願２０１６−５６８９４３「流体システムおよび方法」拒絶査定不服審判事件〔平成２７年１１月２６日国際公開、ＷＯ２０１５／１７７４８８、平成２９年７月　６日国内公表、特表２０１７−５１８４５７〕について、次のとおり審決する。
【結　論】
　本件審判の請求は、成り立たない。
【理　由】
第１　手続の経緯
　本願は、２０１４年（平成２６年）５月２１日を国際出願日とする出願であって、平成３０年３月２２日付け（発送日：平成３０年３月２８日）で拒絶理由が通知され、平成３０年６月２７日に意見書及び手続補正書が提出され、平成３０年８月２７日付け（発送日：平成３０年８月２９日）で拒絶理由が通知され、平成３１年１月２８日に意見書及び手続補正書が提出されたが平成３１年２月２８日付け（発送日：平成３１年３月６日）で拒絶査定がされ、これに対して令和元年７月５日に拒絶査定不服審判が請求され、その審判の請求と同時に手続補正書が提出され、令和２年２月２５日付け（発送日：令和２年２月２６日）で当審より拒絶理由（以下「当審拒絶理由」という。）が通知され、令和２年８月２５日に意見書及び手続補正書が提出されたものである。
第２　本願発明
　本願の請求項１ないし１４に係る発明は、令和２年８月２５日の手続補正により補正がされた特許請求の範囲の請求項１ないし１４に記載されたとおりのものであるところ、請求項１に係る発明（以下「本願発明」という。）は次のとおりである。
「【請求項１】
　車両の液体配送システムに液体を供給する方法であって、液体を含有するタンクを含む交換可能な液体容器を車両の作動中、前記タンクと前記車両の液体配送システムとの間に液体連通を行うように前記車両に着脱可能に連結される方法であって、前記方法は、
　（ｉ）　前記タンクと前記車両の前記液体配送システムとの間に液体連通を確立するのに先立ち、前記交換可能な液体容器により担持されたデータキャリアと情報交換して、
　（ｉｉ）　前記データキャリアとの情報交換に基づいて、前記交換可能な液体容器または前記交換可能な液体容器の内容物の少なくとも１つに関連するデータを決定し、
　（ｉｉｉ）　前記交換可能な液体容器または前記交換可能な液体容器の内容物の少なくとも１つと関連するデータを使用して、前記車両のための前記交換可能な液体容器または前記交換可能な液体容器の内容物の適合性を分析し、前記液体配送システムは液体循環システムを構成し、
　（ｉｖ）　前記分析に基づいて、適合性のある出力を生成し、および
　（ｖ）　前記交換可能な液体容器または前記交換可能な液体容器の内容物が前記車両に適合することを示す適合性のある出力に応じて、前記タンクと前記車両の前記液体配送システムとの間に液体連通を確立することを含む方法。」
第３　当審拒絶理由の概要
　当審拒絶理由の概要は、次のとおりである。
１．（明確性）本願は、特許請求の範囲の記載が下記の点で、特許法第３６条第６項第２号に規定する要件を満たしていない。
２．（進歩性）本願の請求項１ないし１４に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　　　　　記　　　（引用文献等については引用文献等一覧参照）
●理由１（明確性）について
　請求項１ないし１４に係る発明は明確でない。
　特に、請求項１の「循環システム」の意味が明確でない。
●理由２（進歩性）について
　請求項１ないし１４に対して：引用文献１ないし３
　　　　　　　　＜引用文献等一覧＞
１．米国特許出願公開第２００８／０１７９１３９号明細書
２．特開平１１−２８６１２１号公報
３．特開２００５−１７８８９９号公報（周知技術を示す文献）
第４　特許法第２９条第２項（進歩性）についての判断
１　引用文献、引用発明
（１）引用文献１
　当審拒絶理由において引用された米国特許出願公開第２００８／０１７９１３９号明細書（以下「引用文献１」という。）には、「OIL CHANGE APPARATUS」（訳：オイル交換装置）に関し図面とともに次の事項が記載されている。なお、下線は当審において付与した。以下同様。
ア　「[0007] The instant invention is directed to an oil change system operable on a continuous or batch basis for changing engine oil for an engine in operation. The system may employ a positive displacement of new oil from a chamber incorporating concatenated bladders separating new oil from used oil. The system also comprises a non-volatile memory which down loads engine data from the engine controller and data related to the date/time of the oil change, oil consumption and other oil related parameters as described. 
The chamber and non-volatile memory are incorporated into a removable unit that may be connected hydraulically to the engine oil lubrication system and electrically to the engine controller. To the engine data, there may be added to the non-volatile memory data regarding the condition of the used oil
（当審訳）
「本発明は、動作中のエンジンのエンジンオイルを交換するための連続的またはバッチ式で動作可能なオイル交換システムに向けられている。システムは、使用済みオイル、新しいオイルを分離するように連結された袋を組み込んで、チャンバから新たなオイルの容積を使用することができる。説明したシステムはまた、オイル交換、オイル消費および他のオイル関連パラメータの日／時間に関連するエンジン制御データ、エンジンデータをダウンロードし、不揮発性メモリを含む。
チャンバおよび前記不揮発性メモリは、エンジンオイル潤滑システムと電気的にエンジン制御装置に液圧式に接続されてもよい取り外し可能なユニットに組み込まれる。エンジンに使用されるオイルの状態を不揮発性メモリに付加してもよい
イ　「[0010]Internal combustion engines of the 4-cycle variety utilize a crankcase, a sump, and 
a pressurized system to circulate lubricating oil within the engine
Engine life is extended by periodic exchange of used oil for new oil.」
（当審訳）
「４サイクルの内燃機関は、クランクケース、サンプと、
エンジン内の潤滑オイルを循環させるために加圧システム
ウ　「[0018] Generation of a signal by 
the engine controller
engine
vehicle
（当審仮訳）
「
エンジンコントローラ
エンジン
車両
エ　「[0019] In one embodiment of a concatenated chamber, 
when the preprogrammed condition is met, the engine controller (not shown) initiates a batch oil change by checking that the oil level in the crankcase 15 meets a prescribed level
If crankcase oil level is at the prescribed level, the controller signals to valve 12 to divert a measured portion of the oil pressurized by the crankcase oil pump 14 through conduit 16 to used oil chamber 18 of housing 20
（当審訳）
「連結室の一実施形態では、予めプログラムされた条件が満たされると、
エンジンコントローラ（図示せず）には、クランクケース15内のオイルレベルが所定のレベルを満たしていることをチェックすることによって、バッチオイル交換を開始する
クランクケースオイルレベルが所定のレベルにある場合に、弁12への制御信号は、導管16を通してクランクケースオイルポンプ14により加圧されたオイルの一部をハウジング20の油室18に作用させる
オ　「[0020] The controller actively maintains a predetermined level of lubricating oil in the crankcase. Sensors for determining the oil level of an engine in operation have been described as for example in U.S. Pat. No. 4,495,909, incorporated herein by reference. The oil level may fall below a predetermined level for reasons such as leakage, or oil consumption by the engine. 
When the crankcase oil sensor 36 identifies that the oil level is below the prescribed level, then the controller signals a positive displacement pump 38 to transfer new oil from new oil from chamber 22 to the crankcase 15.
（当審訳）
「コントローラは、クランクケース内の潤滑オイルの所定のレベルを維持する。動作中のエンジンのオイルレベルを測定するためのセンサは、例えば、米国特許第4,495,909号明細書に記載されている。オイルレベルは、漏れやオイル消費量のような理由から、所定の値を下回ることがある。
クランクケースオイルセンサー36は、オイルレベルが所定のレベルを下回っていることを識別すると、コントローラは、容積式ポンプ38に信号を送ってチャンバ22からクランクケース15に新しいオイルを移送する。
カ　「[0028]Upon completion of the oil change, 
the housing containing now used oil and the non-volatile memory may be removed from the engine
Removal may be facilitated by known quick-disconnect couplings 30, 32 that incorporate valves preventing loss of oil from the chambers upon removal of the housing and an electrical connection, preferably of a plug type, 34 to the engine controller
（当審訳）
「オイル交換が完了すると、
使用済みのオイル及び非揮発性メモリを含むハウジングは、エンジンから取り外される
取り外しは、取り外しの際に室からのオイル損失を防止する弁を組み込んだ既知のクイックディスコネクトカップリング30、32、及び、電気的接続、好ましくはプラグ34、によって容易にすることができる。
キ　「[0032]A component of the system for automated oil change is 
a non-volatile memory component 46
the housing is connected to the engine
（当審訳）
「自動オイル交換のためにシステムの要素は、
非揮発性メモリコンポーネント46
ハウジングがエンジンに接続
ク　「[0033]
Typical data downloadable from the engine to the non-volatile memory of the oil change system includes the data described above uploaded to the engine controller from the non-volatile memory 46 concerning new oil in the housing, at the time oil housings are exchanged, the date and/or hours of operation of the automatic oil change if a batch change, any engine error codes, engine maintenance requirements, engine performance characteristics such as exhaust gas sensor observations, engine serial number, oil pH, the rate of oil consumption by the engine, fuel consumption, engine loading, and accumulated hours.
（当審訳）
「
エンジンからオイル交換装置の不揮発性メモリにダウンロード可能な典型的データは、不揮発性メモリ46からエンジンコントローラにアップロードされた、ハウジング内の新しいオイルに関する上述のデータ、ハウジングが交換される時期、バッチ交換の場合、自動オイル交換の作業の日付および／または時間、エラーコード、エンジン保守要件、排気ガスセンサ観測値のようなエンジンの性能特性を、機関の連続番号、ｐＨ、エンジンによって消費される油量、燃料消費量、エンジン負荷、累積時間、である。
ケ　上記ウから、エンジン及びエンジンコントローラは、車両用のものを含むことが分かるので、エンジン及びエンジンコントローラは車両の一部ということができる。また、上記エから、オイル交換時には、少なくともエンジンコントローラは作動していることが分かり、上記カ及びキから、ハウジングはエンジンに着脱可能であることが分かる。そうすると、ハウジング20は、車両の作動中、オイル潤滑システムとの間でオイル連通を行うよう車両に着脱可能に連結される、ということができる。
コ　上記カ及び図１の図示内容並びに技術常識から、クイックディスコネクトカップリング30、32が接続されると、油室18及びチャンバ22とオイル潤滑システムとの間にオイル連通が確立されることは自明である。
　上記記載事項及び認定事項並びに図面の図示内容からみて、引用文献１には、次の発明（以下「引用発明」という。）が記載されている。
〔引用発明〕
　「車両のオイル潤滑システムにオイルを供給する方法であって、オイルを含有する油室18及びチャンバ22を含む交換可能なハウジング20を車両の作動中、前記油室18及びチャンバ22と前記車両のオイル潤滑システムとの間にオイル連通を行うように前記車両に着脱可能に連結される方法であって、前記方法は、
交換可能なハウジング20が不揮発性メモリ要素46を有していて、前記不揮発性メモリ要素46はオイルに関連するデータを備えており、オイル潤滑システムはオイル循環システムを構成し、
クイックディスコネクトカップリング30、32が接続されると前記油室18及びチャンバ22と前記車両の前記オイル潤滑システムとの間にオイル連通を確立することを含む方法。」
（２）引用文献２
　当審拒絶理由において引用された特開平１１−２８６１２１号公報（以下「引用文献２」という。）には、図面とともに次の事項が記載されている。
ア　「【０００８】
【課題を解決するための手段】本発明は上述の技術課題を従来とは全く異なる観点から解決することを目的とするものであり、そのために、本発明のインクタンクは、
インクジェットプリントヘッドに供給するためのインクを貯蔵するとともに該インクジェットプリントヘッドに対し着脱可能なインクタンク
イ　「【００２０】図３にその構造の一例を示す。流路を開閉する芯棒２７の一端は圧縮ばね２８に結合し、常に一定方向（流路を閉じる方向）に付勢されている。
芯棒２７の他端には永久磁石２９が配置されており、この永久磁石２９と接して高透磁性の鉄心３０がインク流路開閉器５の筐体に固定されている。
【００２１】
芯棒２７の中央部には直径１ｍｍ程度の貫通穴３２が形成されている。この貫通穴３２は、図３（Ａ）に示すように、コイル３１の非通電時にはインクの流入口３３おおよび導出路とは位置が異なっており、その状態ではインク流路開閉器５はインク３が流れない状態（閉状態）である。
【００２２】一方、インク流路開閉器制御電気回路９によってコイル３１に通電された場合、鉄心３１はその磁極を瞬間的に反転させ、永久磁石２９と一体化された芯棒２７をばね２８の付勢力に逆らって図中左方向に移動させる。すると、
芯棒２７に配置され貫通穴３２がインク流入口３３および導出路と一致し、インク３が袋２の加圧力によって流れ、インク送給部６の出口より飛び出す構成となっている。図３（Ｂ）はインク３が流れる状態（開状態）の概略図である。
ウ　「【００６０】これに対し、本発明の加圧インクタンクは、これを装着した段階ではインク供給口とインク受給口とが接触していないために、固着や混合が生じる問題点は回避できる。しかし、異種インクを収納したタンクが誤装着された場合、インクジェットプリントヘッド１２からの信号でインク流路開閉器５が開放の状態になった時点で、固着や混合の問題は発生する。そこで、この問題を解決するために、
インク流路開閉器制御電気回路部９に、１６ビットのＥＰＲＯＭなどのメモリ部を設け、正しいインクタンクが装着された時にのみ、インク流路開閉器５が動作するように設定する
プリンタ側には、インクタンクの持つ情報（メモリ内容）とインクジェットプリントヘッドの種類の持つ信号とを演算し、合致する条件の時のみインク流路開閉器５が能動するように構成した。このようなシステム構成としたことで、操作者が行なうおそれのある異種インクタンクの誤装着を防止できるものである
エ　「【００６６】４０９はプリントヘッド１２のインク吐出機構部１９を駆動するためのヘッド駆動部であり、さらにインク有無検知器１８の信号をインクタンク１１側に伝達したり、インクタンク１１側とＭＰＵ４０１との間で所要の信号を授受するための回路部等を有している。
【００６７】一方
インクタンク１１において、４２１はＤＲＡＭ等のメモリであり、上述したような所要のデータを格納する
【００６８】
インクジェットプリントヘッド１２側にも同様のフォトダイオードセット４１１があり、これらにより両者間での信号の授受が行われる
【００６９】
インクタンク１１とインクジェットプリントヘッド１２との間で授受される信号の構成および順序は、シフト信号（同期信号）を含むインクタンクの種類番号、インクタンクの色信号、インクタンクのグレード信号、インクタンクの製造ロット信号、インクタンクのインク圧信号、インク流路開閉器５の状態信号、インクタンクの製造番号である。
【００７０】図８はインクジェットプリントヘッドとインクタンクとの信号授受の動作例を説明するためのフローチャートを、図９には双方が送出する信号の形態の概略例を示す。
【００７１】図９の起動クロック信号に示すように、インクジェットプリントヘッド１２が送出するシフト信号（同期信号）７１の間にはデータ信号７２が有り、これが１つのブロック信号として処理され、送信される（処理ＳＨ１）。そして、
当該起動クロック信号をインクタンク側が受けて、起動開始信号を返信する（処理ＳＴ１，ＳＴ３）。これをインクジェットプリントヘッド側が確認し、確認信号をインクタンク側へ送信すると（処理ＳＨ３，ＳＨ５）、インクタンク側は各種データ信号を図９に示されるような形態で送信する（処理ＳＴ５，ＳＴ７）
【００７２】本例では、
各種データは、１８個のブロックデータ信号からなり、その一例を図９に示すように、インク種類（“６Ａ”）、色（“Ｂ”）、グレード（“Ｆ”）、製造ロット（“９７年Ａ月２７日Ｆライン”）、インク圧力（レベル５）、インク流路開閉器状態０＜ＯＦＦ＞、製造番号（“５５５５５５”）というような信号形態で構成されている
【００７３】
これを、インクジェットプリントヘッド側は受けて、このインクタンクが使用するに合致しているかどうか判断処理を行う（処理ＳＨ５，ＳＨ７）。そして合致していればインク貯留部１７のインク有無信号を返信し
【００７４】
インクタンク側は、インク貯留部１７のインク有無の信号を受けて、インク無しを示す信号であればインク流路開閉器５を開放処理し（信号の出力）
　上記記載事項及び図面（特に、図１、２及び７を参照。）の図示内容からみて、引用文献２には、次の事項（以下「引用文献２記載事項」という。）が記載されている。
〔引用文献２記載事項〕
「インクタンク１１とプリントヘッド１２とのインク流路を開放するのに先立ち、インクタンク１１のメモリ４２１と信号の授受を行い、メモリ４２１と信号の授受に基いて、前記インクタンク１１または内容物であるインクに関連するデータを決定し、該データを使用して、前記インクタンク１１または内容物であるインクが使用するに合致しているかどうか判断処理を行い、該判断処理において、合致していれば、インク有無信号を返信し、インクタンク１１とプリントヘッド１２とのインク流路を開放すること。」
（３）引用文献３
　当審拒絶理由において引用された特開２００５−１７８８９９号公報（以下「引用文献３」という。）には、図面とともに次の事項が記載されている。
　
ア　「【００１０】
　
容器アセンブリ１１０は、情報タグ２００（図２参照）などのその中に含まれる材料に関する情報を記憶するための情報記憶メカニズムを含んでいる。
「【００１９】
　図２および３の参照を続けると、容器アセンブリ１１０が特定の塗布に用いるフォトレジスト材料３００を含む場合がある。
コネクタ１１８は、適正なフォトレジスト材料３００および適正なフォトレジスト材料３００を有する容器アセンブリ１１０を塗布に用いるコネクタ１１８に結合することを確実にする構成を含む
【００２０】
　情報ケーブル１２２は、既述したようにアンテナアセンブリ２７５において終端する。プローブ２１５を容器本体１２０内に入れるとともにアンテナアセンブリ２７５を情報タグ２００に隣接させた状態でコネクタ１１８を物理的にキャップ１１５に結合することができる。一旦このように配置すると、アンテナアセンブリ２７５はキャップ１１５において情報タグ２００から情報を読み取ることができる。一実施形態において、ここで説明したこの種のコネクタ１１８とキャップ１１５間の結合が採用されるまでアンテナアセンブリ２７５は情報を読み取ることができない。コネクタ１１８を容器アセンブリ１１０において物理的に固定且つ配置する方法のため、アンテナアセンブリ２７５によって読み取られた情報を、容器アセンブリ１１０と独占的に関連付けることができる。このようにコネクタ１１８は容器アセンブリ１１０内の材料および情報タグ２００からの情報が通過可能な唯一の経路として機能する。
【００２１】
　所望の塗布をするために、
適正材料および容器アセンブリ１１０をコネクタ１１８に結合することをさらに確実にするために、コネクタ１１８を容器アセンブリ１１０のキャップ１１５に結合する前に、確認ツール２５０を使用することができる。確認ツール２５０はコントローラ１５０（図１参照）に結合された確認ケーブル２５５を含む。確認ケーブル２５５は情報タグ２００から情報を読み取るための確認アンテナ２６５で終端する。確認アンテナ２６５は、可視光発光ダイオード（ＬＥＤ）または他の適当なメカニズムなどの確認表示器２６０を含む
【００２２】
　さらに図７を参照すると、制御ユニット１０２（図１参照）において塗布を選択することができる。７３０に示すように、
確認ツール２５０の確認アンテナ２６５を情報タグ２００に隣接配置し、コントローラ１５０（図１参照）によって指示することにより情報タグ２００から情報を読み取ることができる
確認表示器２６０は、情報タグ２００から読み取られた情報が所定の塗布用の許容材料３００および容器アセンブリ１１０が存在することを示す場合に緑色光を発することができる
このような方法で、コネクタ１１８を容器アセンブリ１１０のキャップ１１５に結合する前にフォトレジスト材料３００および容器アセンブリ１１０を確認することができる
【００２３】
　
図示の実施形態において上述したような確認により、所望の塗布に用いる容器アセンブリ１１０およびフォトレジスト材料３００を確認するため、破断可能膜２１０の破断およびフォトレジスト材料３００の露出を防止することができる。
　上記記載事項及び図面（特に、図１ないし３を参照。）の図示内容からみて、引用文献３には次の事項（以下「引用文献３記載事項」という。）が記載されている。
〔引用文献３記載事項〕
「容器アセンブリ１１０とプロセスアセンブリ１０３との間に材料の連通を確立するのに先立ち、容器アセンブリ１１０の情報タグ２００に確認ツール２５０の確認アンテナ２６５を隣接配置し、コントローラ１５０によって指示することにより前記情報タグ２００から情報を読み取り、前記情報タグ２００から読み取られた情報が所定の塗布用の許容材料３００および容器アセンブリ１１０が存在することを示す場合に確認表示器２６０は緑色光を発し、このような方法でコネクタ１１８を容器アセンブリ１１０のキャップ１１５に結合する前にフォトレジスト材料３００および容器アセンブリ１１０を確認し、該確認結果に応じて、容器アセンブリ１１０とプロセスアセンブリ１０３との間に材料の連通を確立すること。」
２　対比・判断
　本願発明と引用発明とを対比すると、引用発明における「オイル」は、その機能、構成又は技術的意義からみて本願発明における「液体」に相当し、以下同様に、「油室18及びチャンバ22」は「タンク」に、「ハウジング20」は「液体容器」および「容器」に、「オイル潤滑システム」は「液体配送システム」に、「不揮発性メモリ要素46」は「データキャリア」に、それぞれ相当する。
　そして、引用発明における「交換可能なハウジング20が不揮発性メモリ要素46を有していて、前記不揮発性メモリ要素46はオイルに関連するデータを有しており、オイル潤滑システムはオイル循環システムを構成し、クイックディスコネクトカップリング30、32が接続されると」と、本願発明における「（ｉ）　前記タンクと前記車両の前記液体配送システムとの間に液体連通を確立するのに先立ち、前記交換可能な液体容器により担持されたデータキャリアと情報交換して、（ｉｉ）　前記データキャリアとの情報交換に基づいて、前記交換可能な液体容器または前記交換可能な液体容器の内容物の少なくとも１つに関連するデータを決定し、（ｉｉｉ）　前記交換可能な液体容器または前記交換可能な液体容器の内容物の少なくとも１つと関連するデータを使用して、前記車両のための前記交換可能な液体容器または前記交換可能な液体容器の内容物の適合性を分析し、前記液体配送システムは液体循環システムを構成し、（ｉｖ）　前記分析に基づいて、適合性のある出力を生成し、および（ｖ）　前記交換可能な液体容器または前記交換可能な液体容器の内容物が前記車両に適合することを示す適合性のある出力に応じて」とは、「交換可能な液体容器はデータキャリアを担持しており、前記データキャリアは、液体容器の内容物に関連するデータを有しており」という限りにおいて一致している。
　よって、両者の一致点及び相違点は、次のとおりである。
〔一致点〕
「車両の液体配送システムに液体を供給する方法であって、液体を含有するタンクを含む交換可能な液体容器を車両の作動中、前記タンクと前記車両の液体配送システムとの間に液体連通を行うように前記車両に着脱可能に連結される方法であって、前記方法は、
　交換可能な液体容器はデータキャリアを担持しており、前記データキャリアは液体容器の内容物に関連するデータを有しており、前記液体配送システムは液体循環システムを構成し、
　前記タンクと前記車両の前記液体配送システムとの間に液体連通を確立することを含む方法。」
〔相違点〕
　本願発明においては「（ｉ）　前記タンクと前記車両の前記液体配送システムとの間に液体連通を確立するのに先立ち、前記交換可能な液体容器により担持されたデータキャリアと情報交換して、（ｉｉ）　前記データキャリアとの情報交換に基づいて、前記交換可能な液体容器または前記交換可能な液体容器の内容物の少なくとも１つに関連するデータを決定し、（ｉｉｉ）　前記交換可能な液体容器または前記交換可能な液体容器の内容物の少なくとも１つと関連するデータを使用して、前記車両のための前記交換可能な液体容器または前記交換可能な液体容器の内容物の適合性を分析し」、「（ｉｖ）　前記分析に基づいて、適合性のある出力を生成し、および（ｖ）　前記交換可能な液体容器または前記交換可能な液体容器の内容物が前記車両に適合することを示す適合性のある出力に応じて」前記タンクと前記車両の前記液体配送システムとの間に液体連通を確立するものであるのに対して、引用発明においては、かかる事項を備えていない点。
　上記相違点について検討する。
　引用文献２記載事項は上記のとおり「インクタンク１１とプリントヘッド１２とのインク流路を開放するのに先立ち、インクタンク１１のメモリ４２１と信号の授受を行い、メモリ４２１と信号の授受に基いて、前記インクタンク１１または内容物であるインクに関連するデータを決定し、該データを使用して、前記インクタンク１１または内容物であるインクが使用するに合致しているかどうか判断処理を行い、該判断処理において、合致していれば、インク有無信号を返信し、インクタンク１１とプリントヘッド１２とのインク流路を開放すること。」というものであり、引用文献３記載事項は上記のとおり「容器アセンブリ１１０とプロセスアセンブリ１０３との間に材料の連通を確立するのに先立ち、容器アセンブリ１１０の情報タグ２００に確認ツール２５０の確認アンテナ２６５を隣接配置し、コントローラ１５０によって指示することにより前記情報タグ２００から情報を読み取り、前記情報タグ２００から読み取られた情報が所定の塗布用の許容材料３００および容器アセンブリ１１０が存在することを示す場合に確認表示器２６０は緑色光を発し、このような方法でコネクタ１１８を容器アセンブリ１１０のキャップ１１５に結合する前にフォトレジスト材料３００および容器アセンブリ１１０を確認し、該確認結果に応じて、容器アセンブリ１１０とプロセスアセンブリ１０３との間に材料の連通を確立すること。」というものである。
　これらの記載事項から「液体容器（インクタンク１１；容器アセンブリ１１０）とその内容物である液体（インク；材料３００）を利用するシステム（プリントヘッド１２；プロセスアセンブリ１０３）との間に液体連通を確立するのに先立ち、前記液体容器により担持されたデータキャリア（メモリ４２１；情報タグ１１０）と情報交換（信号の授受；コントローラ１５０の指示による情報の読み取り）して、前記データキャリアとの情報交換に基づいて、前記液体容器または前記液体容器の内容物の少なくとも１つに関連するデータを決定し、前記液体容器または前記液体容器の内容物の少なくとも１つと関連するデータを使用して、前記液体容器または前記液体容器の内容物の適合性を分析し（合致しているかどうかの判断を行い；確認し）、前記分析に基づいて、適合性のある出力（インク有無信号；緑色光）を生成し、および前記交換可能な液体容器または前記交換可能な液体容器の内容物が前記車両に適合することを示す適合性のある出力に応じて液体連通を確立すること。」は、本願出願前に周知の技術（以下「周知技術」という。）であったといえる。
　引用発明と周知技術とは、液体容器とその内容物である液体を利用するシステムとの間で液体連通を行うという点で共通するものであり、引用発明も液体容器（ハウジング20）のデータキャリア（不揮発性メモリ要素46）が、液体容器の内容物（オイル）に関する情報を有しているから、引用発明において周知技術を参酌し、上記相違点に係る本願発明の発明特定事項とすることは、当業者が容易になし得たことである。
　そして、本願発明は、全体としてみても、引用発明及び周知技術から予測し得ない格別な効果を奏するものではない。
　したがって、本願発明は、引用発明及び周知技術に基いて、当業者が容易に発明をすることができたものであるから、特許法第２９条第２項の規定により特許を受けることができない。
第５　特許法第３６条第６項第２号（明確性）についての判断
　当審拒絶理由において、特許請求の範囲の記載不備について、次のように指摘した。
「請求項１に『循環システムを構成し』との記載があるが、『循環システム』の意味が不明確である。
　請求項２及び発明の詳細な説明の段落【００１２】では、通常の意味での循環はしない『ウォッシャ液』、『燃料添加剤』を含むとしている。そうすると、どのようなものまで『循環』に含むのか不明確である。」
　これに対して、請求人は、令和２年８月２５日の意見書において、「不明確であった『循環システム』の語を削除し、」と述べている。
　しかしながら、「循環システム」との記載は請求項１に依然として存在し、上記意見書の記載を参酌してもその意味は明確ではないから、「循環システム」との記載を含む請求項１に係る発明は、特許を受けようとする発明の範囲が依然として明確でない。
　よって、本願は、特許請求の範囲の記載が、特許法第３６条第６項第２号に規定する要件を満たしていない。
第６　むすび
　以上のとおり、本願発明は、引用発明及び周知技術に基いて、当業者が容易に発明をすることができたものであるから、特許法第２９条第２項の規定により特許を受けることができない。
　また、本願は、特許請求の範囲の記載が、特許法第３６条第６項第２号に規定する要件を満たしていない。
　よって、結論のとおり審決する。